(57)【特許請求の範囲】
【請求項１】
インキを収容するインキ収容部を軸方向前方に規定する筒形のインキタンクと、
前記インキ収容部の内周面に当該インキ収容部の軸方向に摺動可能且つ液密に嵌め込まれたフランジ部と、当該フランジ部から前記インキタンクの軸方向後方に向かって伸長するロッドと、を有するピストンと、
前記インキタンクの軸方向後方に当該インキタンクに対して回転可能に当該インキタンクの内側に接続されたノブと、
を備え、
前記ロッドの少なくとも一部の側面には、雄ネジ部が形成されており、
前記ノブの少なくとも前方領域は、雌ネジ部を有する中空筒状であり、
前記ロッドの雄ネジ部と前記ノブの雌ネジ部とが互いに螺合しており、
前記インキタンクの軸方向後方には、周方向の少なくとも一部に係合部が形成されており、
前記ノブの軸方向の一部には、周方向の少なくとも一部に前記係合部に回転可能に係合される被係合部が形成されており、
前記インキタンクの端部には、切込みが設けられていて、拡径可能となっており、
前記係合部と前記被係合部とは、前記インキタンクの端部を一時的に拡径させることで係合されるようになっており、
前記インキタンクの軸方向後方には、筒状のカバーが嵌められている
ことを特徴とする筆記具のインキ吸入器。
【請求項２】
前記カバーの軸方向の長さは、１０ｍｍ以下である
ことを特徴とする請求項１に記載のインキ吸入器。
【請求項３】
前記カバーに対して前記インキタンクの軸方向前方の少なくとも一部の側面に、高摩擦部が設けられている
ことを特徴とする請求項１または２に記載のインキ吸入器。
【請求項４】
前記高摩擦部は、前記インキタンクの周方向の少なくとも一部に亘って延在する突条として構成されている
ことを特徴とする請求項３に記載のインキ吸入器。
【請求項５】
前記インキタンクは、透明な樹脂製である
ことを特徴とする請求項１乃至４のいずれかに記載のインキ吸入器。
【請求項６】
前記カバーの軸方向の少なくとも一部には、周方向の少なくとも一部に第２係合部が設けられており、
前記インキタンクの軸方向の少なくとも一部には、周方向の少なくとも一部に第２被係合部が設けられており、
前記カバーは、前記第２係合部と前記第２被係合部とが係合して前記インキタンクの端部に嵌められている
ことを特徴とする請求項１乃至５のいずれかに記載のインキ吸入器。
【請求項７】
インキを収容するインキ収容部を軸方向前方に規定する筒形のインキタンクと、
前記インキ収容部の内周面に当該インキ収容部の軸方向に摺動可能且つ液密に嵌め込まれたフランジ部と、当該フランジ部から前記インキタンクの軸方向後方に向かって伸長するロッドと、を有するピストンと、
前記インキタンクの軸方向後方に当該インキタンクに対して回転可能に当該インキタンクに接続されたノブと、
を備え、
前記ピストンの前記ロッドの少なくとも一部の側面には、雄ネジ部が形成されており、  前記ノブの少なくとも前方領域は、雌ネジ部を有する内筒と外筒とを有する二重筒状であり、
前記ロッドの雄ネジ部と前記ノブの雌ネジ部とが互いに螺合しており、
前記インキタンクの軸方向後方には、周方向の少なくとも一部に係合部が形成されており、
前記ノブの軸方向の一部には、周方向の少なくとも一部に前記係合部に回転可能に係合される被係合部が形成されており、
前記ノブの外筒の端部には、切込みが設けられていて、拡径可能となっており、
前記係合部と前記被係合部とは、前記ノブの外筒の端部を一時的に拡径させることで係合されるようになっており、
前記ノブの外筒の軸方向前方には、筒状のカバーが嵌められている
ことを特徴とする筆記具のインキ吸入器。
【請求項８】
前記カバーの軸方向の少なくとも一部には、周方向の少なくとも一部に第２係合部が設けられており、
前記ノブの外筒の軸方向の少なくとも一部には、周方向の少なくとも一部に第２被係合部が設けられており、
前記カバーは、前記第２係合部と前記第２被係合部とが係合して前記ノブの外筒の軸方向前方に嵌められている
ことを特徴とする請求項７に記載のインキ吸入器。
【発明の詳細な説明】
【技術分野】
【０００１】
本発明は、万年筆等のインキ吸入器に関する。より詳しくは、万年筆等のペン先をインキ容器内のインキに浸した状態で、ノブを回転操作することに伴うピストンの前後移動によってインキを吸入するタイプのインキ吸入器に関する。
【背景技術】
【０００２】
図１１は、万年筆等に使用されている従来のインキ吸入器４００の概略縦断面図である。図１１に示されるように、従来のインキ吸入器４００は、インキを収容するインキ収容部４１１ｃを軸方向前方に規定する筒形のインキタンク４１０と、インキ収容部４１１ｃの内周面に当該インキ収容部４１１ｃの軸方向に摺動可能且つ液密に嵌め込まれたフランジ部４２２と、当該フランジ部４２２からインキタンク４１０の軸方向後方に向かって伸長するロッド４２１と、を有するピストン４２０と、インキタンク４１０の軸方向後方に当該インキタンク４１０に対して回転可能に接続されたノブ４３０と、を備えている。ピストン４２０のロッド４２１の少なくとも一部の側面には、雄ネジ部４２３ｓが形成されており、ノブ４３０の少なくとも前方領域は、雌ネジ部４３０ｓを有する中空筒状であり、ロッド４２１の雄ネジ部４２３ｓとノブ４３０の雌ネジ部４３０ｓとが互いに螺合している。
【０００３】
インキタンク４１０の軸方向後方には、当該インキタンク４１０の外周よりも大径の筒形のカバー４５０の一側が接着固定されている。当該カバー４５０の他側は、ノブ４３０の軸方向前方の外周よりも大径となっており、当該カバー４５０の他側端には絞り部が設けられていて、ノブ４３０の外周に設けられたフランジの軸方向後方への移動を規制しつつ、当該カバー４５０に対して回転可能であるようにノブ４３０を支持している。
【０００４】
一般に、インキタンク４１０の軸方向後方への筒形のカバー４５０の一側の接着固定には、雄ネジ部と雌ネジ部とによる螺合（螺着）が併用され得る。通常、インキタンク４１０は透明樹脂製であり、ノブ４３０及びピストン４２０は有色樹脂製であり、カバー４５０は金属製である。
【０００５】
以上のようなインキ吸入器４００は、特許第４５９６６７５号公報（特許文献１）、特許第５３８８３６０号公報（特許文献２）及び特開２０１３−４３２８５号公報（特許文献３）などに開示されている。
【０００６】
以上のようなインキ吸入器４００にインキを吸入させるには、まず万年筆等のケーシングを取り外してインキ吸入器４００のノブ４３０を露出させる。そして、必要に応じて当該ノブ４３０を一方向（図１１のＡの方向）に回転操作して、ピストン４２０をインキタンク４１０の軸方向の最も前方に位置させる。次いで、万年筆等のペン先をインキ容器内のインキに浸し、その状態でノブ４３０を反対方向（図１１のＢの方向）に回転操作する。これに伴って、インキタンク４１０内のピストン４２０は当該インキタンク４１０の軸方向後方へ移動する。これにより、インキタンク４１０内に負圧が生じて、インキがインキ容器内からペン先を介してインキタンク４１０内に吸入される。
【先行技術文献】
【特許文献】
【０００７】
【特許文献１】特許第４５９６６７５号公報
【特許文献２】特許第５３８８３６０号公報
【特許文献３】特開２０１３−４３２８５号公報
【発明の概要】
【発明が解決しようとする課題】
【０００８】
万年筆等は、ペン先のメンテナンス（清掃）や、インキ色交換等のために、インキ吸入器を本体から取り外す必要がある。インキ吸入器を万年筆等から取り外す時に、使用者が、インキ吸入器のノブを把持して軸方向後方に引き抜こうとすると、ノブとカバーとの間の遊びのためにノブが径方向に動いてしまって、ノブのフランジがカバーの絞り等を通過してしまう懸念がある。従って、ノブでは無く、インキタンクまたはカバーを把持して軸方向後方に引き抜くことを、使用者に促したい。
【０００９】
ところが、従来のカバーは、絞り部の変形を避けるために前述の通り金属製であることが一般的であるため、外周面が滑り易く、使用者の把持に適さないという問題があった。また、当該カバーは、一側においてインキタンクと接着固定され他側においてノブを回転可能に支持する必要があるため、軸方向に所定の長さを有している。このため、インキタンクの軸方向後方の露出領域は狭く、このことによりインキタンクも使用者の把持に適さないという問題があった。
【００１０】
本発明は、以上のような問題に鑑みて、インキタンクを把持して軸方向後方に引き抜くことを使用者に促すことができるインキ吸入器を提供することを課題とする。
【課題を解決するための手段】
【００１１】
本発明は、インキを収容するインキ収容部を軸方向前方に規定する筒形のインキタンクと、前記インキ収容部の内周面に当該インキ収容部の軸方向に摺動可能且つ液密に嵌め込まれたフランジ部と、当該フランジ部から前記インキタンクの軸方向後方に向かって伸長するロッドと、を有するピストンと、前記インキタンクの軸方向後方に当該インキタンクに対して回転可能に当該インキタンクの内側に接続されたノブと、を備え、前記ピストンの前記ロッドの少なくとも一部の側面には、雄ネジ部が形成されており、前記ノブの少なくとも前方領域は、雌ネジ部を有する中空筒状であり、前記ロッドの雄ネジ部と前記ノブの雌ネジ部とが互いに螺合しており、前記インキタンクの軸方向後方には、周方向の少なくとも一部に係合部が形成されており、前記ノブの軸方向の一部には、周方向の少なくとも一部に前記係合部に回転可能に係合される被係合部が形成されており、前記インキタンクの端部には、切込みが設けられていて、拡径可能となっており、前記係合部と前記被係合部とは、前記インキタンクの端部を一時的に拡径させることで係合されるようになっており、前記インキタンクの軸方向後方には、筒状のカバーが嵌められていることを特徴とする筆記具のインキ吸入器である。
【００１２】
本発明によれば、インキタンクの軸方向後方に形成された係合部とノブの軸方向の一部に形成された被係合部とがインキタンクの端部を一時的に拡径させることで係合されている一方、インキタンクの軸方向後方には筒状のカバーが嵌められていて、当該カバーがインキタンクの端部の拡径を効果的に防止している。このような構成を採用したことにより、カバーの軸方向の長さを従来よりも大幅に縮小することができる。この結果、インキタンクの軸方向後方の露出領域を大幅に拡大することができるため、ノブ及びカバーで無くインキタンクを把持して軸方向後方に引き抜くことを使用者に促すことができる。
【００１３】
好ましくは、前記カバーの軸方向の長さは、１０ｍｍ以下である。この場合、インキタンクの露出領域をより一層大幅に拡大することができるため、ノブ及びカバーで無くインキタンクを把持して軸方向後方に引き抜くことを使用者により一層促すことができる。
【００１４】
また、好ましくは、前記カバーに対して前記インキタンクの軸方向前方の少なくとも一部の側面に、高摩擦部が設けられている。この場合、インキタンクの高摩擦部を把持して軸方向後方に引き抜くことを使用者に促すことができる。
【００１５】
前記高摩擦部は、前記インキタンクの周方向の少なくとも一部に亘って延在する突条として構成されていることが好ましい。この場合、インキタンクの高摩擦部を低コストで容易に形成することができる。
【００１６】
また、前記インキタンクは、透明な樹脂製であることが好ましい。この場合、インキタンクの軸方向後方の露出領域が大幅に拡大されることと相俟って、外部からのインキタンクの視認性が顕著に向上する。これは、デザイン性に優れ、使用者のニーズに応えるものである。
【００１７】
また、好ましくは、前記カバーの軸方向の少なくとも一部には、周方向の少なくとも一部に第２係合部が設けられており、前記インキタンクの軸方向の少なくとも一部には、周方向の少なくとも一部に第２被係合部が設けられており、前記カバーは、前記第２係合部と前記第２被係合部とが係合して前記インキタンクの端部に嵌められている。この場合、カバーの位置をインキタンクの軸方向後方の所定の位置に容易に保持することができる。
【００１８】
また、本発明は、当該インキ吸入器は、インキを収容するインキ収容部を軸方向前方に規定する筒形のインキタンクと、前記インキ収容部の内周面に当該インキ収容部の軸方向に摺動可能且つ液密に嵌め込まれたフランジ部と、当該フランジ部から前記インキタンクの軸方向後方に向かって伸長するロッドと、を有するピストンと、前記インキタンクの軸方向後方に当該インキタンクに対して回転可能に当該インキタンクの内側に接続されたノブと、を備え、前記ピストンの前記ロッドの少なくとも一部の側面には、雄ネジ部が形成されており、前記ノブの少なくとも前方領域は、雌ネジ部を有する内筒と外筒とを有する二重筒状であり、前記ロッドの雄ネジ部と前記ノブの雌ネジ部とが互いに螺合しており、前記インキタンクの軸方向後方には、周方向の少なくとも一部に係合部が形成されており、前記ノブの軸方向の一部には、周方向の少なくとも一部に前記係合部に回転可能に係合される被係合部が形成されており、前記ノブの外筒の端部には、切込みが設けられていて、拡径可能となっており、前記係合部と前記被係合部とは、前記ノブの外筒の端部を一時的に拡径させることで係合されるようになっており、前記ノブの外筒の軸方向前方には、筒状のカバーが嵌め込まれていることを特徴とする。
【００１９】
本発明によれば、インキタンクの軸方向後方に形成された係合部とノブの軸方向の一部に形成された被係合部とがインキタンクの端部を一時的に拡径させることで係合されている一方、インキタンクの軸方向後方には筒状のカバーが嵌められていて、当該カバーがインキタンクの端部の拡径を効果的に防止している。このような構成を採用したことにより、カバーの軸方向の長さを従来よりも大幅に縮小することができる。この結果、インキタンクの軸方向の露出領域を大幅に拡大することができるため、ノブ及びカバーで無くインキタンクを把持して軸方向後方に引き抜くことを使用者に促すことができる。
【００２０】
この場合、好ましくは、前記カバーの軸方向の少なくとも一部には、周方向の少なくとも一部に第２係合部が設けられており、前記ノブの外筒の軸方向の少なくとも一部には、周方向の少なくとも一部に第２被係合部が設けられており、前記カバーは、前記第２係合部と前記第２被係合部とが係合して前記ノブの外筒の軸方向前方に嵌め込まれている。このような構成を採用したことにより、カバーの位置をインキタンクの軸方向後方の所定位置に容易に保持することができる。
【発明の効果】
【００２１】
本発明によれば、インキタンクの軸方向後方に筒状のカバーが嵌められることで、カバーの軸方向の長さを従来よりも大幅に縮小することができる。この結果、インキタンクの軸方向の露出領域を大幅に拡大することができるため、ノブ及びカバーで無くインキタンクを把持して軸方向後方に引き抜くことを使用者に促すことができる。
【００２２】
あるいは、本発明によれば、ノブの外筒の軸方向前方に筒状のカバーが嵌められることで、カバーの軸方向の長さを従来よりも大幅に縮小することができる。この結果、インキタンクの軸方向の長さを従来よりも大幅に拡大することができるため、ノブ及びカバーで無くインキタンクを把持して軸方向後方に引き抜くことを使用者に促すことができる。
【図面の簡単な説明】
【００２３】
【図１】本発明の第１の実施の形態のインキ吸入器の概略縦断面図である。図１（Ａ）は、ピストンが軸方向の最も後方にある状態を示す図であり、図１（Ｂ）は、ピストンが軸方向の最も前方にある状態を示す図である。
【図２】図１のインキ吸入器のインキタンクの概略図である。図２（Ａ）は、インキタンクの概略縦断面図であり、図２（Ｂ）は、図２（Ａ）の右方向から見たインキタンクの概略正面図であり、図２（Ｃ）は、図２（Ａ）のＣ−Ｃ線断面図である。
【図３】図１のインキ吸入器のピストンの概略図である。図３（Ａ）は、ピストンの概略側面図であり、図３（Ｂ）は、図３（Ａ）のＢ−Ｂ線断面図であり、図３（Ｃ）は、図３（Ａ）のＣ−Ｃ線断面図である。
【図４】図１のインキ吸入器のノブの概略縦断面図である。
【図５】図１のインキ吸入器のピストンガイドの概略正面図である。
【図６】図１のインキ吸入器のカバーの概略縦断面図である。
【図７】図１のインキ吸入器の組み立て方法の一例を説明するための図である。図７（Ａ）は、インキタンクにグリスを塗布する工程を示す図であり、図７（Ｂ）は、インキタンクにピストンを挿入する工程を示す図であり、図７（Ｃ）は、ピストンにピストンガイドを組み付ける工程を示す図であり、図７（Ｄ）は、ピストンのロッドにノブを螺合させる工程を示す図であり、図７（Ｅ）は、インキタンクにノブを係合する工程を示す図であり、図７（Ｆ）は、インキタンクの軸方向後方にカバーを嵌める工程を示す図である。
【図８】本発明の第２の実施の形態のインキ吸入器の概略縦断面図である。
【図９】図８のインキ吸入器のインキタンクの概略縦断面図である。
【図１０】図８のインキ吸入器のノブの概略縦断面図である。図１０（Ａ）は、ノブの概略縦断面図であり、図１０（Ｂ）は、ノブの概略側面図である。
【図１１】従来のインキ吸入器の概略縦断面図である。
【発明を実施するための形態】
【００２４】
以下に、添付の図面を参照して本発明の第１の実施の形態を詳細に説明する。
【００２５】
図１は、本発明の第１の実施の形態のインキ吸入器１００の概略縦断面図である。図１（Ａ）は、ピストン２０が軸方向の最も後方にある状態を示す図であり、図１（Ｂ）は、ピストン２０が軸方向の最も前方にある状態を示す図である。
【００２６】
図１に示すように、本発明の第１の実施の形態のインキ吸入器１００は、インキを収容するインキ収容部１１ｃを軸方向前方に規定する筒形のインキタンク１０と、インキ収容部１１ｃの内周面に当該インキ収容部１１ｃの軸方向に摺動可能かつ液密に嵌め込まれたフランジ部２２と、当該フランジ部２２からインキタンク１０の軸方向後方に向かって伸長するロッド２１と、を有するピストン２０と、インキタンク１０の軸方向後方に当該インキタンク１０に対して回転可能に当該インキタンク１０の内側に接続されたノブ３０と、を備えている。
【００２７】
図２は、図１のインキ吸入器１００のインキタンク１０の概略図である。図２（Ａ）は、インキタンク１０の概略縦断面図であり、図２（Ｂ）は、図２（Ａ）の右方向から見たインキタンク１０の概略正面図であり、図２（Ｃ）は、図２（Ａ）のＣ−Ｃ線断面図である。
【００２８】
図２（Ａ）に示すように、インキタンク１０には、その軸方向後方にスリーブ部１２が形成されている。インキタンク１０の全長は４９．６ｍｍであり、その軸方向前方の３４．５ｍｍの領域に内径５．６７ｍｍ、外径７．２ｍｍの円筒状部１１によってインキ収容部１１ｃが規定されている。円筒状部１１の軸方向後方には１５．１ｍｍの長さを有するスリーブ部１２が連続している。スリーブ部１２の内径は４．９ｍｍであるが、スリーブ部１２の外側表面上に高摩擦部１３が設けられている。具体的には、本実施の形態の高摩擦部１３は、インキタンク１０の軸方向に略等間隔で５カ所に設けられた、インキタンク１０の周方向に延在する突条１４として設けられている。円筒状部１１の内周面とスリーブ部１２の内周面とは、テーパ推移部１１ｔを介して連続している。
【００２９】
また、インキタンク１０の軸方向後方に位置するスリーブ部１２の内周面上には、図２（Ｂ）に示すように、その上方側及び下方側のそれぞれに、軸方向に沿って所定高さだけ隆起した隆起部１９ａ、１９ｂが設けられている。但し、当該隆起部１９ａ、１９ｂは、図２（Ａ）に示す上方切り欠き１６ａ及び下方切り欠き１６ｂによって、軸方向の一部において中断されている。上方切り欠き１６ａ及び下方切り欠き１６ｂは、それぞれ軸方向長さが１．１５ｍｍであり、図２（Ｃ）に示すように、高さｈ＝１．２２５ｍｍ分だけ切り欠かれるように形成されている。
【００３０】
また、図２（Ａ）及び図２（Ｂ）に示すように、インキタンク１０の軸方後方に位置するスリーブ部１２の内周面の左右２カ所には、溝部１７が設けられている。本実施の形態の溝部１７は、それぞれ、幅１．１ｍｍ、幅方向中央の深さ０．８７５ｍｍのコ字状の断面を有しており、スリーブ部１２の軸方向後方の端部に１４．２ｍｍの長さで形成されている。
【００３１】
また、スリーブ部１２の軸方向の一部には、第２被係合部が形成されている。本実施の形態では、図２（Ａ）に示すように、スリーブ部１２の外側表面の上下２カ所において軸方向後方の端部から３．４ｍｍの位置を中心として軸方向に０．５ｍｍの幅を有する突部１５が、第２被係合部として、周方向に１２０°に亘るように形成されている。
【００３２】
更に、図２（Ｂ）に示すように、スリーブ部１２の軸方向後方の端部には、左右２カ所においてそれぞれ長さ３．３５ｍｍで幅０．７ｍｍの切り込み１８が設けられていて、拡径可能となっている。
【００３３】
図３は、図１のインキ吸入器１００のピストン２０の概略図であり、図３（Ａ）は、ピストン２０の概略側面図であり、図３（Ｂ）は、図３（Ａ）のピストン２０のＢ−Ｂ線断面図であり、図３（Ｃ）は、図３（Ａ）のピストン２０のＣ−Ｃ線断面図である。
【００３４】
図３（Ａ）に示されるように、ピストン２０のロッド２１には、少なくとも一部の側面に、雄ネジ部２３ｓが形成されている。本実施の形態では、図３（Ｂ）に示すように、ロッド２１の全体が、円柱形状をその軸線方向に平行で且つ互いに平行に対向する２つの平面で同一の深さに面取りした形状の断面、すなわち、長方形の対向する２つの短辺を円弧状に張り出させた形状の断面、を有する被ガイド部２３として形成されている。そして、被ガイド部２３の円弧状に張り出した領域の、軸方向について大部分に、雄ネジ部２３ｓが形成されている。
【００３５】
本実施の形態では、ピストンの全長は２６．７ｍｍであり、フランジ部２２の長さが２．４ｍｍであり、ロッド２１の長さが２４．３ｍｍである。また、フランジ部２２の直径は５．５９ｍｍである。また、ロッド２１（被ガイド部２３）の雄ネジ部２３ｓは、外径が３．１ｍｍ、谷径が２．５ｍｍ、有効径が２．７５ｍｍであり、被ガイド部２３の厚さ（被ガイド部２３の対向する２つの平面間の距離）は、１．７ｍｍである。
【００３６】
更に、本実施の形態では、図３（Ｃ）に示すように、被ガイド部２３の軸方向後方に、それぞれ円弧状に張り出した張出部２４が形成されており、当該張出部２４は、雄ネジ部２３ｓの谷径と略同一の直径を有している。
【００３７】
図４は、図１のインキ吸入器１００のノブ３０の概略縦断面図である。ノブ３０の少なくとも前方領域は、雌ネジ部３０ｓを有する中空筒状である。本実施の形態では、図４に示すように、ノブ３０の軸方向前方の端部は開放しているが、軸方向後方の端部は閉じており、内周面全体に雌ネジ部３０ｓが形成されている。そして、ノブ３０の雌ネジ部３０ｓは、ロッド２１の雄ネジ部２３ｓと互いに螺合するようになっている。本実施の形態では、ノブ３０の全長は２２．８ｍｍであり、雌ネジ部３０ｓの長さは２１．３ｍｍである。また、ノブ３０の軸方向後方に、使用者が当該ノブ３０を回転操作する際に把持するための、断面が略正八角形で軸方向後方に向かってやや先細りとされた、長さ９．１ｍｍの把持部が、設けられている。
【００３８】
更に、ノブ３０の軸方向の一部には、周方向の少なくとも一部にスリーブ部１２の上方切り欠き１６ａ及び下方切り欠き１６ｂに回転可能に係合される被係合部が形成されている。本実施の形態では、図４に示すように、ノブ３０の軸方向前方から１０．２ｍｍの位置を中心として軸方向に１ｍｍの幅を有する膨出部３１が、被係合部として、周方向に、高さ０．３２５ｍｍだけ膨出するように形成されている。膨出部３１の軸方向前方側は、テーパ状に面取りされている。
【００３９】
そして、上方切り欠き１６ａ及び下方切り欠き１６ｂとノブ３０の膨出部３１とは、切り込み１８の存在によってスリーブ部１２の軸方向後方の端部を一時的に拡径させることで、係合されるようになっている。
【００４０】
図５は、図１のインキ吸入器１００のピストンガイド４０の概略正面図である。本実施の形態のピストンガイド４０は、図５に示すように、Ｕ字状の断面を有していると共に、当該Ｕ字状断面における一対の脚部４２に、対向する互いに平行な２つの平面がガイド部４１として形成されている。本実施の形態では、ピストンガイド４０の厚み（軸方向の長さ）は、１．５ｍｍであり、Ｕ字状の断面における一対の脚部４２の外周は、直径４．７５ｍｍの円弧の一部を形成している。更に、ピストンガイド４０のＵ字状の断面における一対の脚部４２の端部４２ｅ間の離間距離は、１．６ｍｍであり、ガイド部４１の２つの平面の離間距離の１．９５ｍｍよりも小さくなっている。
【００４１】
また、図５に示すように、ピストンガイド４０の軸方向の左右２カ所の外周面には、断面が非円形とされた突起４３が軸方向全体に亘って設けられている。本実施の形態の突起４３は、それぞれ、幅１ｍｍ、幅方向中央の高さ０．２７５ｍｍに形成されており、インキタンク１０のスリーブ部１２の内周面の左右２カ所に設けられた溝部１７と係合するようになっている。
【００４２】
本実施の形態のピストンガイド４０は、図１に示すように、スリーブ部１２に内嵌されており、ロッド２１の被ガイド部２３を軸方向に摺動させるようになっている。そして、ロッド２１の被ガイド部２３の軸方向後方に形成された張出部２４（図３（Ｃ）参照）は、当該軸方向に見てガイド部４１（脚部４２の対向する互いに平行な２つの平面）の少なくとも一部と重なるようになっている。
【００４３】
図６は、図１のインキ吸入器１００のカバー５０の概略縦断面図である。図６に示すように、カバー５０は、軸方向の長さが４．２ｍｍであり、内径が６．２５ｍｍであり、外径が６．７３ｍｍである円筒形状を有している。カバー５０の軸方向の少なくとも一部には、周方向の少なくとも一部に第２係合部が設けられている。本実施の形態では、図６に示すように、カバー５０の内周面に、当該カバー５０の軸方向の両端部からそれぞれ０．６ｍｍの位置を中心として軸方向に０．６ｍｍの幅を有する凹条５１が第２係合部として形成されている。
【００４４】
次に、図７を参照して、本発明の第１の実施の形態のインキ吸入器の組み立て方法の一例について説明する。図７（Ａ）は、インキタンク１０にグリスを塗布する工程を示す図であり、図７（Ｂ）は、インキタンク１０にピストン２０を挿入する工程を示す図であり、図７（Ｃ）は、ピストン２０にピストンガイド４０を組み付ける工程を示す図であり、図７（Ｄ）は、ピストン２０のロッド２１にノブ３０を螺合させる工程を示す図であり、図７（Ｅ）は、インキタンク１０にノブ３０を係合する工程を示す図であり、図７（Ｆ）は、インキタンク１０の軸方向後方にカバー４０を嵌める工程を示す図である。
【００４５】
まず、図７（Ａ）に示すように、インキタンク１０のインキ収容部１１ｃの内周面全体に、フランジ部２２の摺動を円滑にするためのグリスが、適宜の塗布具Ｔを用いて、塗布される。更に、図示されていないが、ピストン２０の雄ネジ部２３ｓを含む被ガイド部２３には、雄ネジ部２３ｓを含む被ガイド部２３の摺動等を円滑にするためのグリスが塗布される。
【００４６】
次に、図７（Ｂ）に示すように、ピストン２０のフランジ部２２が軸方向前方（図７（Ｂ）の左側）に位置する向きで、当該ピストン２０がインキタンク１０の軸方向前方（図７（Ｂ）の左側）からインキタンク１０内に挿入される。
【００４７】
次に、図７（Ｃ）に示すように、フランジ部２２の前面の形状に対応する先端形状を有する工具（図７（Ｃ）に破線で示されている）によって、インキタンク１０内に挿入されたピストン２０が、軸方向後方へ更に押し込まれる。これにより、ピストン２０の被ガイド部２３の軸方向後方側の一部が、インキタンク１０のスリーブ部１２の軸方向後方の端部から突出される。
【００４８】
次に、図７（Ｄ）に示すように、スリーブ部１２の軸方向後方の端部から突出した被ガイド部２３の軸方向後方側の当該一部に、ピストンガイド４０が、当該ピストンガイド４０のＵ字状の断面における一対の脚部４２の端部の側（開放側）から嵌め入れられる。そして、ピストンガイド４０の突起４３とスリーブ部１２の溝部１７とが、両者が係合するように、位置合わせされる。その後、軸方向後方側（図７（Ｄ）の右側）から、ノブ３０の雌ネジ部３０ｓが被ガイド部２３の雄ネジ部２３ｓにねじ込まれていき、これに伴って、ノブ３０の軸方向前方の端部が、ピストンガイド４０を軸方向前方の所定位置にまでスライド移動させていく。この間、スリーブ部１２の溝部１７が、ピストンガイド４０の突起４３を、軸方向に摺動させていく。
【００４９】
ピストンガイド４０を軸方向前方の所定位置にまでスライド移動させる過程において、図７（Ｅ）に示すように、ノブ３０の膨出部３１が、スリーブ部１２の隆起部１９ａ、１９ｂに当接する。そして、ノブ３０の雌ネジ部３０ｓを更にねじ込むと、スリーブ部１２の切り込み１８（図７（Ｂ）参照）の存在により、スリーブ部１２の軸方向後方の端部が拡径して、ノブ３０の膨出部３１のテーパ状の面取り部にスリーブ部１２の隆起部１９ａ、１９ｂが乗り上げる。その後、ノブ３０の雌ネジ部３０ｓを更にねじ込むと、膨出部３１は、スリーブ部１２の上方切り欠き１６ａ及び下方切り欠き１６ｂ（隆起部１９ａ、１９ｂが存在しない領域）と係合する。これにより、スリーブ部１２の軸方向後方の端部は、拡径前の状態に戻る。この時のピストンガイド４０の位置が、前記所定位置となる。
【００５０】
なお、ノブ３０の雌ネジ部３０ｓをねじ込むことでノブ３０をスリーブ部１２に対して相対移動させてノブ３０の膨出部３１とスリーブ部１２の上方切り欠き１６ａ及び下方切り欠き１６ｂとを係合させる代わりに、ノブ３０を単純にスリーブ部１２に対して軸方向に押し込むことでノブ３０をスリーブ部１２に対して相対移動させてノブ３０の膨出部３１とスリーブ部１２の上方切り欠き１６ａ及び下方切り欠き１６ｂとを係合させてもよい。
【００５１】
次に、図７（Ｆ）に示すように、スリーブ部１２の軸方向後方に、筒状のカバー５０が嵌められる。この時、スリーブ部１２の突部１５とカバー５０の凹条５１とが係合する。前述の通り、カバー５０には、内周面に当該カバー５０の軸方向の両端部から等距離の位置に２つの凹条５１が形成されている。このため、カバー５０を一側からでも他側からでもスリーブ部１２に嵌めることができる。
【００５２】
次に、本実施の形態のインキ吸入器１００の作用について説明する。
【００５３】
まず、万年筆等のケーシングを取り外して、インキ吸入器１００のノブ３０を露出させる。製品によっては、購入時に、図１（Ｂ）に示すように、ピストン２０がインキタンク１０のインキ収容部１１ｃの軸方向の最も前方に位置した状態にある。そうで無い場合には、ノブ３０を一方向に回転操作して、ノブ３０の雌ネジ部３０ｓを介してピストン２０の雄ネジ部２３ｓを送り出していくことにより、やはり図１（Ｂ）に示すように、ピストン２０をインキタンク１０のインキ収容部１１ｃの軸方向の最も前方に位置させる。
【００５４】
この回転操作によるピストン２０の雄ネジ部２３ｓの送り出しの際、インキタンク１０のスリーブ部１２の所定位置に内嵌されたピストンガイド４０のガイド部４１が、ピストン２０の被ガイド部２３を軸方向に摺動させる。これにより、当該ピストン２０は、軸線回りに回転することがない。
【００５５】
また、ノブ３０の回転操作によるピストン２０の雄ネジ部２３ｓの送り出しが続いていくと、ピストン２０の張出部２４がピストンガイド４０に当接する。これにより、それ以後の雄ネジ部２３ｓの送り出しが制限される（ストッパ機能）。これにより、ピストン２０の雄ネジ部２３ｓがノブ３０の雌ネジ部３０ｓから抜けてしまうことが防止される。この時のピストン２０の位置が、当該ピストン２０の軸方向の最も前方の位置である。
【００５６】
次に、万年筆等のペン先をインキ容器内のインキに浸し、その状態でノブ３０を反対方向に回転操作する。これに伴って、インキ収容部１１ｃ内のピストン２０が、当該インキ収容部１１ｃの軸方向後方（図１（Ｂ）の右側）へ移動される。これにより、インキ収容部１１ｃ内に負圧が生じて、インキがインキ容器内からペン先を介してインキ収容部１１ｃ内に吸入される。ノブ３０を反対方向に更に回転操作していくと、図１（Ａ）に示すように、ピストン２０がインキ収容部１１ｃの軸方向の最も後方まで移動される。これにより、インキ収容部１１ｃ内の略全体へのインキ吸入が完了する。
【００５７】
以上のような本実施の形態のインキ吸入器１００では、インキタンク１０のスリーブ部１２に形成された上方切り欠き１６ａ及び下方切り欠き１６ｂとノブ３０の一部に形成された膨出部３１とが、切り込み１８の存在によってスリーブ部１２の端部を一時的に拡径させることで係合されている一方、スリーブ部１２の軸方向後方には筒状のカバー５０が嵌められていて、当該カバー５０がスリーブ部１２の端部の拡径を効果的に防止している。このような構成を採用したことにより、カバー５０の軸方向の長さが、従来よりも大幅に縮小されている。この結果、スリーブ部１２の露出領域が大幅に拡大されており、万年筆等のメンテナンス（清掃）やインキ色を交換するために本実施の形態のインキ吸入器１００を万年筆等の本体から取り外す際に、ノブ３０及びカバー５０で無くスリーブ部１２を把持して軸方向後方に引き抜くことが使用者に促される。
【００５８】
本実施の形態では、カバー５０の軸方向の長さは、ほんの４．２ｍｍである。これにより、スリーブ部１２の露出領域が、より一層大幅に拡大されており、ノブ３０及びカバー５０で無くスリーブ部１２を把持して軸方向後方に引き抜くことが、使用者により一層促される。
【００５９】
更に、本実施の形態では、カバー５０に対してスリーブ部１２の軸方向前方の外側表面に、高摩擦部１３（図２（Ａ）参照）が設けられている。このため、使用者によってスリーブ部１２の高摩擦部１３が容易に把持されることにより、本体からインキ吸入器１００を容易に引き抜くことができる。本実施の形態の高摩擦部１３は、スリーブ部１２の周方向の少なくとも一部に亘って延在する突条１４として構成されている。このため、高摩擦部１３を低コストで容易に形成することができる。
【００６０】
また、本実施の形態のインキタンク１０は、透明な樹脂製である。このため、スリーブ部１２の露出領域が大幅に拡大されることと相俟って、外部からのインキタンク１０の視認性が顕著に向上する。これは、デザイン性に優れ、使用者のニーズに応えるものである。
【００６１】
更に、本実施の形態では、カバー５０の内周面に設けられた凹条５１が、スリーブ部１２の突部１５に係合して当該スリーブ部１２の端部に嵌められている。このため、カバー５０の位置をスリーブ部１２の軸方向後方の所定の位置に容易に保持することができる。
【００６２】
次に、図８は、本発明の第２の実施の形態のインキ吸入器２００の概略縦断面図である。また、図９は、図８のインキ吸入器２００インキタンク２１０の概略縦断面図であり、図１０は、図８のインキ吸入器２００のノブ２３０の概略図であり、図１０（Ａ）は、ノブ２３０の概略縦断面図であり、図１０（Ｂ）は、ノブ２３０の概略側面図である。
【００６３】
図８に示すように、本実施の形態のインキ吸入器２００は、第１の実施の形態のインキ吸入器１００と同様に、インキを収容するインキ収容部２１１ｃを軸方向前方に規定する筒形のインキタンク２１０と、インキ収容部２１１ｃの内周面に当該インキ収容部２１１ｃの軸方向に摺動可能且つ液密に嵌め込まれたフランジ部２２２と、当該フランジ部２２２からインキタンク２１０の軸方向後方に向かって伸長するロッド２２１と、を有するピストン２２０と、インキタンク２１０の軸方向後方に当該インキタンク２１０に対して回転可能に当該インキタンク２１０に接続されたノブ２３０と、を備えている。
【００６４】
本実施の形態のインキタンク２１０は、図９に示すように、スリーブ部２１２の外側表面の周方向全体に、係合部としての切り欠き２１６が設けられている。切り欠き２１６は、軸方向後方の端部から２．４７５ｍｍの位置を中心として軸方向に１．１５ｍｍの幅で０．５ｍｍの深さを有している。その他の構成は、第１の実施の形態のインキタンク１０と略同様である。図８及び図９において、第１の実施の形態と同様の構成部分には略同様の符号を付し、その詳細な説明は省略する。
【００６５】
また、図１０に示すように、ノブ２３０は、少なくとも前方領域が雌ネジ部２３０ｓを有する内筒２３２と外筒２３３とを有する二重筒状である。本実施の形態では、図１０（Ａ）に示すように、内筒２３２の軸方向前方の端部は開放しているが、軸方向後方の端部は閉じており、内周面全体に雌ネジ部３０ｓが形成されている。  
外筒２３３は、内筒２３２の軸方向後方から９．１ｍｍの位置で当該内筒２３２の外側表面上に形成された鍔部と、当該鍔部の外周から軸方向前方に向かって５．９ｍｍの長さで延在する内径６．３ｍｍ、外径７．３ｍｍの円筒状部材と、から構成されている。また、図１０（Ａ）に示すように、外筒２３３の内周面には、当該外筒２３３の軸方向前方の端部から１．２ｍｍの位置を中心として軸方向に１ｍｍの幅を有する膨出部２３５が、被係合部として、周方向に高さ０．３２５ｍｍだけ膨出するように形成されている。膨出部２３５の軸方向前方側は、テーパ状に面取りされている。
【００６６】
更に、図１０（Ｂ）に示すように、外筒２３３の軸方向前方の端部には、左右２カ所においてそれぞれ長さ３．３５ｍｍで幅０．７ｍｍの切り込み２３４が設けられていて、拡径可能となっている。インキタンク２１０の切り欠き２１６とノブ２３０の膨出部２３５とは、切り込み２３４の存在によって外筒２３３の軸方向前方の端部を一時的に拡径させることで係合されるようになっている。
【００６７】
また、外筒２３３の軸方向の一部には、第２被係合部が形成されている。本実施の形態では、図１０（Ｂ）に示すように、外筒２３３の外側表面の上下２カ所において、軸方向後方前方の端部から０．６ｍｍの位置を中心として軸方向に０．５ｍｍの幅を有する突部１５が、第２被係合部として、周方向に１２０°に亘るように形成されている。
【００６８】
次に、本実施の形態のインキ吸入器２００の組み立て方法の一例を説明する。組み立てに先立ち、図９及び図１０にそれぞれ示すインキタンク２１０及びノブ２３０に加え、第１の実施の形態のインキ吸入器１００と同様のピストン２２０、ピストンガイド２４０及びカバー２５０が用意される。但し、カバー２５０は、内径が７．４ｍｍであり、外径が７．８８ｍｍであり、第１の実施の形態のカバー５０よりも大径とされている。
【００６９】
まず、第１の実施の形態のインキ吸入器１００と同様にして、インキタンク２１０のインキ収容部２１１ｃの内周面全体に、ピストン２２０のフランジ部２２２の摺動を円滑にするためのグリスが塗布される。更に、ピストン２２０の雄ネジ部２２３ｓを含む被ガイド部２２３（図８参照）には、雄ネジ部２２３ｓを含む被ガイド部２２３の摺動等を円滑にするためのグリスが塗布される。
【００７０】
次に、第１の実施の形態と同様に、ピストン２２０がインキタンク２１０内に押し込まれて、ピストン２２０の被ガイド部２２３の軸方向後方側の一部が、インキタンク２１０のスリーブ部２１２の軸方向後方の端部から突出される。
【００７１】
次に、スリーブ部２１２の軸方向後方の端部から突出した被ガイド部２２３の軸方向後方側の当該一部に、ピストンガイド２４０が、当該ピストンガイド２４０のＵ字状の断面における一対の脚部の端部の側（開放側）から嵌め入れられる。そして、ピストンガイド２４０の突起とスリーブ部２１２の溝部２１２とが、両者が係合するように、位置合わせされる。その後、軸方向後方側から、ノブ２３０の雌ネジ部２３０ｓが被ガイド部２２３の雄ネジ部２２３ｓにねじ込まれていき、これに伴って、ノブ２３０の軸方向前方の端部が、ピストンガイド２４０を軸方向前方の所定位置にまでスライド移動させていく。
【００７２】
ピストンガイド２４０を軸方向前方の所定位置にまでスライド移動させる過程において、ノブ２３０の膨出部２３５が、スリーブ部２１２の軸方向後方の端部に当接する。そして、ノブ２３０の雌ネジ部２３０ｓを更にねじ込むと、外筒２３３の切り込み２３４の存在により、外筒２３３の軸方向前方の端部が拡径して、ノブ２３０の膨出部２３５のテーパ状の面取り部がスリーブ部２１２の軸方向後方の端部に乗り上げる。その後、ノブ２３０の雌ネジ部２３０ｓを更にねじ込むと、膨出部２３５は、スリーブ部２１２の切り欠き２１６と係合する。これにより、外筒２３３の軸方向前方の端部は、拡径前の状態に戻る。この時のピストンガイド２４０の位置が、前記所定位置となる。
【００７３】
なお、ノブ２３０の雌ネジ部２３０ｓをねじ込むことでノブ２３０をスリーブ部２１２に対して相対移動させて外筒２３３の膨出部２３５とスリーブ部２１２の切り欠き２１６とを係合させる代わりに、ノブ２３０を単純にスリーブ部２１２に対して軸方向に押し込むことでノブ２３０をスリーブ部２１２に対して相対移動させて外筒２３３の膨出部２３５とスリーブ部２１２の切り欠き２１６とを係合させてもよい。
【００７４】
次に、外筒２３３の端部に、筒状のカバー２５０が嵌められる。この時、外筒２３３の突部２３６とカバー２５０の凹条とが係合する。
【００７５】
以上のような本実施の形態のインキ吸入器２００では、インキタンク２１０のスリーブ部２１２に形成された切り欠き２１６と外筒２３３の一部に形成された膨出部２３５とが、切り込み２３４の存在によって外筒２３３の端部を一時的に拡径させることで係合されている一方、外筒２３３の端部には筒状のカバー２５０が嵌められていて、当該カバー２５０が外筒２３３の端部の拡径を効果的に防止している。このような構成を採用したことにより、カバー２５０の軸方向の長さが、従来よりも大幅に縮小されている。この結果、スリーブ部２１２の露出領域が大幅に拡大されており、万年筆等のメンテナンス（清掃）やインキ色を交換するために本実施の形態のインキ吸入器２００を万年筆等の本体から取り外す際に、ノブ２３０及びカバー２５０で無くスリーブ部２１２を把持して軸方向後方に引き抜くことが使用者に促される。
【００７６】
また、本実施の形態によれば、カバー２５０の内周面に設けられた凹条が外筒２３３の突部２３６に係合して当該外筒２３３の軸方向の前方に嵌められている。このため、カバー２５０の位置を外筒２３３の端部の所定の位置に容易に保持することができる。
【００７７】
更に、本実施の形態では、第１の実施の形態のインキ吸入器１００と同様に、カバー２５０に対してスリーブ部２１２の軸方向前方の外側表面に、高摩擦部２１３（図９参照）が設けられている。このため、使用者によってスリーブ部２１２の高摩擦部２１３が容易に把持されることにより、本体からインキ吸入器２００を容易に引き抜くことができる。本実施の形態の高摩擦部２１３は、スリーブ部２１２の周方向の少なくとも一部に亘って延在する突条２１４として構成されている。このため、高摩擦部２１３を低コストで容易に形成することができる。
【００７８】
また、本実施の形態のインキタンク２１０は、第１の実施の形態のインキ吸入器１００と同様に、透明な樹脂製である。このため、スリーブ部２１２の露出領域が大幅に拡大されることと相俟って、外部からのインキタンク２１０の視認性が顕著に向上する。これは、デザイン性に優れ、使用者のニーズに応えるものである。
【符号の説明】
【００７９】
１０  インキタンク
１１  円筒状部
１１ｃ  インキ収容部
１１ｔ  テーパ推移部
１２  スリーブ部
１３  高摩擦部
１４  突条
１５  突部
１６ａ  上方切り欠き
１６ｂ  下方切り欠き
１７  溝部
１８  切り込み
１９ａ、１９ｂ  隆起部
２０  ピストン
２１  ロッド
２２  フランジ部
２３  被ガイド部
２３ｓ  雄ネジ部
２４  張出部
３０  ノブ
３０ｓ  雌ネジ部
３１  膨出部
４０  ピストンガイド
４１  ガイド部
４２  脚部
４２ｅ  脚部の端部
４３  突起
５０  カバー
５１  凹条
１００  第１の実施の形態のインキ吸入器
２００  第２の実施の形態のインキ吸入器
２１０  インキタンク
２１１  円筒状部
２１１ｃ  インキ収容部
２１２  スリーブ部
２１３  高摩擦部
２１４  突条
２１６  切り欠き
２２０  ピストン
２２１  ロッド
２２２  フランジ部
２２３  被ガイド部
２２３ｓ  雄ネジ部
２３０  ノブ
２３２  内筒
２３３  外筒
２３４  切り込み
２３５  膨出部
２３６  突部
２４０  ピストンガイド
２５０  カバー
【図１】
0006400427.tif 000002
【図２】
0006400427.tif 000003
【図３】
0006400427.tif 000004
【図４】
0006400427.tif 000005
【図５】
0006400427.tif 000006
【図６】
0006400427.tif 000007
【図７−１】
0006400427.tif 000008
【図７−２】
0006400427.tif 000009
【図８】
0006400427.tif 000010
【図９】
0006400427.tif 000011
【図１０】
0006400427.tif 000012
【図１１】
0006400427.tif 000013